(57)【要約】【課題】  一定の楽譜情報に基づく音楽の提供を主たる目的とする催物を行う際に、楽譜情報の使用に対する課金と、その楽譜情報に基づく音楽の提供を主たる目的とする催物を行うことに対する課金を適正に実施する。【解決手段】  課金を、ホストサーバへキーファイルデータを伴って送信することで、適正に実施する。  その際、楽譜情報の２次利用を制限もしくは拒否する機能をクライアントサーバ側に複数の手段でもたせることが可能であり、課金を適正に運用する。  さらに、当該楽譜情報を表示するにあたっては、楽譜情報そのものの特性を生かした視認性および使用性を有する電子表示媒体を採用し、前記クライアントサーバに連動させる。【選択図】  図１
2007133490.tif 000002
【特許請求の範囲】
【請求項１】
音楽演奏に供される楽譜情報の配信、および当該情報の使用に応じた課金を連動させる配信システムであって、
楽譜情報の権利を有するホストサーバが楽譜情報を有するデータベースに接続され、もしくは含んで設置されており、
当該ホストサーバが楽譜情報の使用者であるクライアントサーバに接続されており、
楽譜使用者であるクライアントに関する登録情報をホストサーバに登録する手段と、
当該クライアントが楽譜情報を使用する際の条件情報をホストサーバに登録する手段と、
楽譜情報を、当該情報を使用できない状態でクライアントサーバに提示する手段と、
キーファイル入力をクライアントサーバに提示する手段と、
クライアントサーバからのキーファイル入力に同期してクライアントへ課金を発生させる手段と
課金の確認と同時にホストサーバからクライアントサーバへ楽譜情報を送信する手段を備えると共に、
当該楽譜情報がクライアントサーバから、楽譜使用者が楽譜を読解するための表示媒体に送信され表示されることを特徴とする配信システム。
【請求項２】
請求項１に記載の配信システムであって、
前記楽譜情報の権利を有するホストサーバが楽譜情報を有するデータベースに接続され、もしくは含んで、楽譜情報を利用する場所に設置されるクライアントサーバに接続されていることを特徴とする配信システム。
【請求項３】
請求項１に記載の配信システムであって、
前記楽譜使用者であるクライアントに関する登録情報と、当該クライアントが楽譜情報を使用する際の条件情報と、当該楽譜情報を利用する場所における利用予定情報とを照合する手段を有することを特徴とする配信システム。
【請求項４】
請求項１に記載の配信システムであって、
前記楽譜情報のクライアントサーバへの送信に先立って、楽譜情報の書誌情報のみをクライアントサーバに提示する手段を有することを特徴とする配信システム。
【請求項５】
請求項１〜請求項４のいずれかに記載の配信システムであって、
前記キーファイル入力をクライアントに提示する手段、
前記クライアントから予めホストサーバに送信登録された楽譜情報を使用する際の条件情報に基づき、著作権使用に対する課金を計算する手段、
前記キーファイル入力に同期してクライアントへ課金を発生させる手段、
課金情報の確認と同時に使用可能な書式での楽譜情報を送信する手段
を有することを特徴とする配信システム。
【請求項６】
請求項１に記載の配信システムであって、
前記楽譜情報のクライアントサーバへの送信に際して、キーファイルの入力のみにより解凍される楽譜情報の圧縮ファイルをクライアントサーバに提示する手段を有することを特徴とする配信システム。
【請求項７】
請求項１〜請求項６のいずれかに記載の配信システムであって、
前記キーファイル入力をクライアントに提示する手段と、
前記クライアントから予めホストサーバに送信登録された楽譜情報を使用する際の条件情報に基づき、著作権使用に対する課金を計算する手段と、
前記キーファイル入力に同期してクライアントへ課金を発生させる手段と、
課金情報の確認と同時に圧縮された楽譜情報の解凍に必要なキーファイルを送信する手段
を有することを特徴とする配信システム。
【請求項８】
請求項１に記載の配信システムであって、
前記楽譜情報がクライアントサーバから送信され表示される、楽譜使用者が楽譜を読解するための表示媒体が、
少なくとも当該楽譜使用者が使用する部分の楽譜情報を記憶する手段と、
当該楽譜情報が前記表示媒体表示部に当該楽譜使用者の意図により、もしくは自動的に順送りに表示される機能を有することを特徴とする配信システム。
【請求項９】
請求項１〜請求項８のいずれかに記載の配信システムであって、
前記楽譜情報がクライアントサーバから送信され表示される、楽譜使用者が楽譜を読解するための表示媒体が、当該楽譜情報使用者による一時的な情報追記が可能である手段を設けることを特徴とする配信システム。
【請求項１０】
請求項１に記載の配信システムであって、
前記楽譜情報が送信されるクライアントサーバ上で当該楽譜情報に対する一部もしくは全部の２次利用およびその指示を拒否する手段を有することを特徴とする配信システム。
【請求項１１】
請求項１〜請求項８のいずれかに記載の配信システムであって、
前記楽譜情報が送信されから送信されて表示されるところの楽譜使用者が楽譜を読解するための表示媒体が、当該楽譜情報の２次利用を制限もしくは禁止する手段を有することを特徴とする配信システム。
【発明の詳細な説明】
【技術分野】
【０００１】
本発明は、サーバからクライアントに楽譜情報を配信するとともに、その利用に際して発生する課金を、当該楽譜情報の使用を著作権使用規準に則って実施し、かつ当該情報の２次利用を禁止する手段を有することで、楽曲作者の権利も擁護される配信システムに関する。同時にこれらの楽譜情報を表示して利用するための表示媒体にも関する。
【背景技術】
【０００２】
近年、インターネットなどの通信回線を介し、各種コンテンツをサーバコンピュータからダウンロードの形で入手可能な状況がますます拡大しつつある。例えば音楽関係について、音源データはそのデジタル化技術と再生アプリケーションの発達によって携帯端末であってもかなりの手軽さを持って入手できる。また、当該音源情報の元になる楽譜情報はその利用に一定の表示サイズを有する表示媒体が必要である等の理由から現在は冊子を含む紙媒体での頒布が主流であるが、今後は当該情報の電子化も進行すると期待される。
【０００３】
又、別の従来例としては、特許文献１をあげることが出来る。
【０００４】
特許文献１に記載の発明は、クライアントがコンテンツ（楽譜）とキーファイルをホストに要求する。すると、ホストはキーファイル送信と同時に楽譜の一部もしくは表示解像度を減じた上で全体を送信する。ユーザが再度購入要求をホストに与えるとそれに伴って課金する。
【特許文献１】特開２００１-３３１６５８号公報
【発明の開示】
【発明が解決しようとする課題】
【０００５】
しかし、また、楽譜情報は、一般的に個人で使用する場合であっても、また多人数で使用する場合においても、著作権法によって当該情報の作者の権利が保護されており、使用即ち演奏を実演披露する場合においては、演奏者が楽譜情報の著作権者に著作権使用料を演奏の形態に応じて別途支払う。近年は当該事務を扱うにあたってオンラインでの楽曲検索、使用料金の見積もり、使用申請と使用料金収受が行える環境になってきている。しかしながら未だ、楽譜情報そのものの購入と権利使用料、両方の支払いが独立に進行するために、それらが適正に行わない場合も考えられ、正しい使用料支払い方法の確立が望まれる。
【０００６】
また、当該楽譜情報は何らかの手段で使用者に視認される形で出力もしくは表記されねばならず、例えば紙媒体の利用が挙げられる。紙媒体は安価でありまた楽譜情報の視認性も良好であるため、最も多く使用される。しかしながら紙媒体での楽譜情報の課題は、ユーザが当該情報を紙媒体でいったん購入すると、当該情報が何らかの手段で複製利用されてしまい、本来当該情報購入時に支払うべき費用支払いがなされずに使用に供されてしまうことがあった。従って、楽譜販売者もしくは当該楽譜情報の権利所有者への対価が正当に支払われない可能性があった。また、情報量が多い場合、運搬保管に手間がかかるという課題も発生する。
【０００７】
従って、楽譜情報の閲覧には前記の楽譜情報使用に関する課金と連動可能な表示手段が用いられることが望まれるが、その場合、後述の如く楽譜情報が表示される際に求められる特殊性から、それに合致した表示媒体の選択が好ましい。
【課題を解決するための手段】
【０００８】
本発明は上記課題を解決するためになされたものであり、サーバからクライアントに楽譜情報を配信するとともに、その利用に際して発生する課金を、当該楽譜情報の使用を著作権使用規準に則って実施し、かつ当該情報の２次利用を禁止する手段を有する発明であり、楽曲作者の権利も擁護されるシステムに関する。同時にこれらの楽譜情報を表示して利用するための表示媒体にも関する。
【０００９】
即ち、本発明は音楽演奏に供される楽譜情報の配信、および当該情報の使用に応じた課金を連動させる配信システムであって、
楽譜情報の権利を有するホストサーバが楽譜情報を有するデータベースに接続されるもしくは含んで設置されること
当該ホストサーバが楽譜情報の使用者であるクライアントサーバに接続されること
楽譜使用者であるクライアントに関する登録情報をホストサーバに登録する手段
当該クライアントが楽譜情報を使用する際の条件情報をホストサーバに登録する手段
楽譜情報を、当該情報を使用できない状態でクライアントサーバに提示する手段
キーファイル入力をクライアントサーバに提示する手段
クライアントサーバからのキーファイル入力に同期してクライアントへ課金を発生させる手段
課金の確認と同時にホストサーバからクライアントサーバへ楽譜情報を送信する手段
当該楽譜情報がクライアントサーバから、楽譜使用者が楽譜を読解するための表示媒体に送信され表示されること
からなる、楽譜情報の配信および同コンテンツの使用に基づく課金を行う配信システムであることを特徴とする。
【００１０】
また、前記配信システムであって、
前記楽譜情報の権利を有するホストサーバが楽譜情報を有するデータベースを含んで楽譜情報を利用する場所に設置されるところの配信システムであることを特徴とする。
【００１１】
また、前記配信システムであって、
前記楽譜使用者であるクライアントに関する登録情報と、当該クライアントが楽譜情報を使用する際の条件情報と、当該楽譜情報を利用する場所における利用予定情報とを照合する手段を有するところの配信システムであることを特徴とする。
【００１２】
また、前記配信システムであって、
前記楽譜情報のクライアントサーバへの送信に先立って、楽譜情報の書誌情報のみをクライアントサーバに提示する手段を有するところの配信システムであることを特徴とする。
【００１３】
また、前記配信システムであって、
前記キーファイル入力をクライアントに提示する手段
前記クライアントから予めホストサーバに送信登録された楽譜情報を使用する際の条件情報に基づき、著作権使用に対する課金を計算する手段
前記キーファイル入力に同期してクライアントへ課金を発生させる手段
課金情報の確認と同時に使用可能な書式での楽譜情報を送信する手段
を有するところの配信システムであることを特徴とする。
【００１４】
また、前記配信システムであって、
前記楽譜情報のクライアントサーバへの送信に際して、キーファイルの入力のみにより解凍される楽譜情報の圧縮ファイルをクライアントサーバに提示する手段を有するところの配信システムであることを特徴とする。
【００１５】
また、前記配信システムであって、
前記キーファイル入力をクライアントに提示する手段
前記クライアントから予めホストサーバに送信登録された楽譜情報を使用する際の条件情報に基づき、著作権使用に対する課金を計算する手段
前記キーファイル入力に同期してクライアントへ課金を発生させる手段
課金情報の確認と同時に圧縮された楽譜情報の解凍に必要なキーファイルを送信する手段
を有するところの配信システムであることを特徴とする。
【００１６】
また、前記配信システムであって、
前記楽譜情報がクライアントサーバから送信され表示される、楽譜使用者が楽譜を読解するための表示媒体が、
少なくとも当該楽譜使用者が使用する部分の楽譜情報を記憶する手段と
当該楽譜情報が前記表示媒体表示部に当該楽譜使用者の意図により、もしくは自動的に順送りに表示される機能を有するところの配信システムであることを特徴とする。
【００１７】
また、前記配信システムであって、
前記楽譜情報がクライアントサーバから送信され表示される、楽譜使用者が楽譜を読解するための表示媒体が、当該楽譜情報使用者による一時的な情報追記が可能である手段を設けるところの配信システムであることを特徴とする。
【００１８】
また、前記配信システムであって、
前記楽譜情報が送信されるクライアントサーバ上で当該楽譜情報に対する一部もしくは全部の２次利用およびその指示を制限もしくは拒否する手段を有するところの配信システムであることを特徴とする。
【００１９】
また、前記配信システムであって、
前記楽譜情報が送信されから送信されて表示されるところの楽譜使用者が楽譜を読解するための表示媒体が、当該楽譜情報の２次利用を制限もしくは拒否する手段を有する配信システムであることを特徴とする。
【発明の効果】
【００２０】
一定の楽譜情報に基づく音楽の提供を主たる目的とする催物を行う際に、楽譜情報の使用に対する課金と、その楽譜情報に基づく音楽の提供を主たる目的とする催物を行うことに対する課金を、ホストサーバへキーファイルデータを伴って送信することで、適正に実施することができる。その際、楽譜情報の２次利用を制限もしくは拒否する機能をクライアントサーバ側に複数の手段でもたせることが可能であり、課金を適正に運用することができる。
【００２１】
さらに、当該楽譜情報を表示するにあたっては、楽譜情報そのものの特性を生かした視認性および使用性を有する電子表示媒体を採用し前記クライアントサーバに連動させることで、従来歴史的に長期間にわたって積み重ねた楽譜使用上の習慣を損ねることなく、かつ楽譜配信・表示の電子化を実施することが可能であり、楽譜情報の管理を含めた使用上の利便性が一層向上する。
【発明を実施するための最良の形態】
【００２２】
次に、本発明の詳細を実施例の記述に従って説明する。
【００２３】
以下、本発明の実施態様を図１を用いてさらに詳細に説明するが、以下の例示においては本発明の範囲を限定するものではない。
【００２４】
図１に示すホストサーバ１０は楽譜情報を有するデータベース２０、およびクライアントサーバ５０の登録情報を有するデータベース３０、および楽譜情報を使用した使用者個別情報を有するデータベース４０に接続している。前記ホストサーバはさらに前記楽譜データベース２０を前記クライアントサーバ５０からのリクエストに応じてその内容を照合する手段１１、前記クライアントサーバの登録情報および過去の楽譜情報使用者７０を照合する手段１２、前記クライアントサーバを使用する使用者の登録情報１３、楽譜情報の条件情報１４、前記各情報から一定の方式で楽譜情報使用料金を計算する手段１５、前記クライアントサーバからのリクエストに応じて対象楽譜情報の書誌情報のみ与える手段１６、前記クライアントサーバ５０経由による使用者７０によるのキーファイル１９の入力を伴うリクエストに応じて対象楽譜情報を使用可能な形式もしくは圧縮ファイル形式で付与する手段１７、前記１７に伴って発生する課金をクライアントに対して実施する手段１８からなる。
【００２５】
前記楽譜情報の条件情報１４は、楽譜情報データベース２０に記録されているところの当該楽譜の作者名または権利者名・生存か否か（没後経過年）・作年等、著作権算出に必要な楽譜側の情報および、前記クライアントサーバ情報に関するデータベース３０に登録されている前記クライアントサーバ設置場所の情報および、過去のユーザー個別情報４０からなり、これらの情報を元に楽譜使用における課金を１５によって計算する。
【００２６】
前記クライアントサーバ５０からのリクエストに応じて対象楽譜情報の書誌情報のみ与える手段１６における対象情報の書誌情報とは作者名・作者生年没年・曲名・調性・作品番号・楽器編成などの演奏形態・楽譜出版者・同出版年・同増版記録・その他制限条項等の情報のことをいう。一般的に楽譜を購入もしくは使用する場合、当該書誌情報があれば楽譜の音符そのものを閲覧しなくともよい。これら書誌情報の組み合わせにより対象となる楽曲を前記楽譜データベース２０から検索する手段１６１により検索することも可能である。
【００２７】
前記キーファイル１９はクライアントサーバ５０のリクエストに応じてホストサーバ１０が当該クライアントサーバ５０に対し発行する。当該キーファイル１９への正しい入力がなされると楽譜情報が提供され同時に当該クライアントサーバ５０からアクセスしている使用者７０に課金される。提供される前記楽譜情報は電子的に圧縮されたデータ形式であってもよく、当該キーファイルの入力によりはじめて当該圧縮ファイルが解凍可能となる。また当該楽譜情報はオフラインとして独立の記録媒体に記録され、使用者７０に当該記録媒体を送付する方法でもよい。いずれにせよ、クライアントサーバ５０にはそのときに使用する楽譜情報のみが一時的に保管されるため、データ所蔵のための措置をとる必要がなく、ましてや前記紙媒体による楽譜情報の保管に必要なスペースや管理に必要な手続きも不要である。
【００２８】
前記クライアントサーバ５０は楽譜情報を利用する場所、例えばコンサートホール・劇場・ライブハウス・スタジオ等、楽譜情報に基づく音楽の提供を主たる目的とする催物を行う場所に設置される。当該の各クライアントサーバ５０には当該場所の住所・管理者・集客規模・使用スケジュール等が入力されており、ホストサーバ１０を通してクライアントサーバ情報に関するデータベース３０に接続されその内容は随時自動更新される。楽譜使用者７０とは前記楽譜情報を使用し前記催物を行う者であり、前記クライアントサーバ４０に課金時に必要な前記使用者７０の個別情報５１を入力する。当該情報はホストサーバ１０の中に使用者の登録情報１３として当該楽譜情報を使用する場所に関するクライアントサーバ５０上の登録情報とペアになってデータベース３０登録され、情報提供履歴・課金履歴等とともに使用者個別情報データベース４０に保存され、次回以降の楽譜情報使用時に参照される。
【００２９】
前記クライアントサーバ５０に与えられた楽譜情報はさらに楽譜使用者に配布されるところの表示デバイス６０に送信され表示される。例えば当該表示は提供各楽譜使用者が使用する部分のみなさればよく、当該表示媒体６０が有する記憶部６２に送信され制御部６１により表示部６３に表示される。表示部６３はその表示機構は電子表示機構であれば特段その詳細を制限するものではないが、楽譜情報自体が上記のごとく紙媒体に印刷され提供されてきたものであるために、楽譜情報は基本的に黒色のみの表示であること、また前記表示媒体を搭載する治具を従来用いられている所謂譜面台をそのまま用いることで新たな治具の導入によるコスト増を避けるためにも軽量薄型が望ましいこと、等の要素を考慮しそれらの要素が再現可能な装置を用いる。現在、各種の電子表示デバイスが上市もしくは提案されているが、特開平９−１８５０８７号公報に開示されている電気泳動表示装置は軽量薄型に作製される反射型表示媒体でありかつ黒色粒子を用いているため、上記の性能を満たす数少ないものとして前記表示部６３に好適に用いる。
【００３０】
また、楽譜情報は多くの場合見開き２ページで視認し、右ページ下端に演奏が進行した場合は演奏者自身がページめくりを行うことを標準としているため、前記表示媒デバイス６０は少なくとも２ページもしくはそれ以上のページを見開きで表示可能な態様になっている態様が好ましい。またさらにその表示内容を更新すべく、前記ページめくり行為を機械的にもしくは前記表示媒体６０が有する制御部６１によって電子的表示内容切り替えという手段で行われる。その手段は当該楽譜使用者７０からの譜めくり指示信号に従う。
【００３１】
また、前記楽譜情報に対して前記楽譜使用者７０が一時的な情報追記が可能である手段を設ける前記表示デバイス６０であってもよい。なお、当該追記情報はあくまで一時的なものであり、課金によって許可された使用が終了した段階で無効となる。さらに配布された前記楽譜情報に遡及して反映されることはない。
【００３２】
本発明における前記楽譜情報はその一部もしくは全部の２次利用およびその指示を制限する手段を有する。クライアントサーバ５０へ送信された楽譜情報は当該サーバ５０上でのコピー、印刷、他機への送信等、情報の２次利用に繋がるコマンドを実行した場合、その実行を一切受け付けないもしくは当該実行に相当する課金を新たに発生させる。また、例えば当該楽譜情報が各楽譜使用者の表示媒体６０へ配布された後に２次利用されるのを禁止・抑制する機構５２を前記表示デバイス６０が有する。具体的には前記表示デバイス６０は外部出力端子を設けない、前記表示デバイス６０に電子複写に対する防護機能を付与させる等を実施する。また、当該楽譜情報にはクロック機能が具備されており、課金後に使用者７０に送信されて使用予定時刻一定の時間が経過すると消滅もしくは表示不可となる機能を有するものであってもよい。さらに、前記楽譜情報がＣＤＲ、ＤＶＤ−Ｒ、ＵＳＢメモリ、カード型メモリ等の別体の記録媒体に記録されて使用者７０に送付される場合、当該楽譜情報のコピーを禁止する処理がなされたうえで提供される。
【００３３】
以下、実施例をもって本発明の実施態様をさらに詳細に説明する。以下に例示するところでは本発明の範囲を限定するものではない。
【実施例１】
【００３４】
楽譜情報を管理するホストサーバコンピュータ１０および演奏会場Ａに設置されているクライアントサーバコンピュータ５０はインターネットより接続されている。楽譜使用を希望する使用者７０は前記サーバコンピュータの端末画面には使用を希望する楽譜の上記記載の書誌情報を入力する画面が表示されている。当該使用者７０は使用予定の楽譜に関する書誌情報１６の一部を入力すると、それに該当する複数の楽譜情報の所蔵が確認され全書誌情報が表示される。使用者７０はその情報を見ながら、自分が使用する予定の楽譜情報の項を選択する。次にホストサーバコンピュータ１０は当該使用者７０に対して課金のための情報（氏名、クレジットカード番号および名義人氏名、楽譜情報使用場所・日時・収容予定人数・入場料金・使用目的等）をクラインアントサーバコンピュータ端末に入力すると楽譜情報が得られ同時に課金がなされる旨告知し、それに同意するよう要求する。この時点で使用者７０の情報が演奏会場に関する情報を有するデータベース３０内の演奏会場Ａの情報とペアになってホストサーバコンピュータに登録される。
【００３５】
前記使用者７０が上記内容に同意する旨クライアントサーバコンピュータ５０に入力すると、当該情報はホストサーバコンピュータ１０に入り、１１、１２の照合機能によってデータベース情報と使用者申告情報を照合し、楽譜情報使用に際しての条件情報１４に不整合がないことを確認する。当該の確認が終了すると課金の計算１５を行い、その計算結果および当該楽譜情報を指定する識別データ及び使用者７０およびクライアントサーバコンピュータ５０の固有情報からなる他の識別データに基づいて暗号化されたキーファイル１６を、クライアントサーバコンピュータ５０を通じて使用者７０に伝える。使用者７０はホストサーバコンピュータ１０から送付された前記内容を承諾しクライアントサーバコンピュータ５０よりキーファイルを入力すると、当該承諾情報およびキーファイルがホストサーバコンピュータ１０に送信され、当該サーバ１０で照合１１、１２が行われ課金１８が発生する。同時に当該使用者７０には楽譜情報の圧縮ファイルがフリーソフトで解凍できる形でネットワーク経由で送付される。使用者はクライアントサーバコンピュータ５０に送付された自分宛ての楽譜情報を解凍し、各楽譜使用者表示デバイス６０に送信する。送信された楽譜情報は表示デバイス６０のメモリ６２に保存される。なお、当該楽譜情報にはコンピュータ上での複写を拒否する設定が施されている。
【００３６】
前記表示デバイス６０は１台全体でＡ４程度のサイズを有し厚さは筐体を含めた全体で重さ５００ｇ以下、厚さ５ｍｍ以内、かつその表示部６３は前記電気泳動表示デバイスで構成され１００ｐｐｉ以上の表示解像度を有する。また表示特性は白表示と黒表示のコントラスト比が１２：１以上、かつ黒表示の反射率が１．５％、表示部６３に対する視野角特性は法線を中心に±４５度の範囲で前記表示特性の変化は生じない。実際、演奏行為の中で楽譜を低視野角で視認する必要性はほとんどない。当該表示媒体は見開き２ページの様式で従来の譜面台に並べて置かれる。２ページは連結部で連結され、演奏行為が進行すると使用者（演奏者）からの譜めくり指示装置（フットスイッチ、表示デバイス６０に設けられたタッチパッド等）を経由する譜めくり指示信号により、表示楽譜が次に繰り越される。当該電気泳動デバイスは上記のようなディメンジョン仕様であるため、一時的な個人練習のためにその場から携行するなどの場合に支障がない。
【００３７】
前記表示デバイス６０にはペン型デバイスによる追記機能６４が付加されている。楽譜情報に基づく演奏において演奏上の注意点もしくは一時的な変更点を追記すると、当該追記情報は表示媒体の制御部６１によって表示部６３に表示される。なお、当該追記情報は各楽譜使用者にのみ有効であり、他の使用者および原データそのものは変更を受けない。
【００３８】
前記表示媒体の表示部６３には複写機、スキャナー等での複写を行うと複写後画面が読み取り不能になるような所謂「コピー防止機能」が具備されていて、楽譜情報の無断２次利用を防止する。
【００３９】
前記で本楽譜情報を取得する際にホストサーバコンピュータへ登録した情報に基づく使用期限を過ぎるとデータそのものが使用可能な状態で閲覧できなくなる。継続もしくは再度の利用には再びキーファイル１６をホストサーバコンピュータ１０へ送信し、上記と同様の手続きで楽譜情報の送付を受ける。
【実施例２】
【００４０】
本実施例は、実施例１で記載した実施態様のうち楽譜情報の送付と課金における他の実施態様に関する。すなわち実施例１において前記使用者７０が楽譜使用に伴う課金に同意する旨クライアントサーバコンピュータ５０に入力すると、当該情報はホストサーバコンピュータ１０に入り、１１、１２の照合機能によってデータベース情報と使用者申告情報を照合し、楽譜情報の視世に際しての条件情報１４に不整合がないことを確認する。当該の確認が終了すると課金の計算１５を行い、その計算結果および当該楽譜情報を指定する識別データ及び使用者７０およびクライアントサーバコンピュータ５０の固有情報からなる他の識別データに基づいて暗号化されたキーファイル１６および当該キーファイル入力によってのみ解凍可能な圧縮された前記楽譜情報を、クライアントサーバコンピュータ５０を通じて使用者７０に与える。使用者７０はホストサーバコンピュータ１０から送付された前記内容を承諾しクライアントサーバコンピュータ５０より送付された前記圧縮ファイルを、前記キーファイル１６を用いて解凍する。キーファイル１６の使用履歴は自動的ホストサーバコンピュータ１０に回収され、当該サーバ１０で照合１１、１２が行われ課金１８が発生する。
【００４１】
前記クライアントサーバコンピュータ上で解凍された楽譜情報は、各楽譜使用者表示デバイス６０に送信され当該表示デバイス６０のメモリ６２に保存される。以降は実施例１と同様の実施態様により楽譜情報を使用する。
【実施例３】
【００４２】
本実施例は、実施例１で記載した実施態様のうち楽譜情報の送付と課金における他の実施態様に関する。すなわち、実施例１において当該使用者７０が課金情報を了解しキーファイルをホストサーバコンピュータへ送信すると楽譜情報の圧縮ファイルがフリーソフトで解凍できる形でネットワーク経由で送付される。使用者はクライアントサーバコンピータ５０に送付された自分宛ての楽譜情報を解凍する。当該の解凍された楽譜情報はクライアントサーバコンピュータ上でコピー、印刷、他機への送信等、情報の２次利用に繋がるコマンドを実行した場合にあらかじめ設定した課金を行う。以降は実施例１と同様の実施態様により楽譜情報を使用する。
【図面の簡単な説明】
【００４３】
【図１】全体構成図。
【符号の説明】
【００４４】
１０  ホストサーバ
１１  照合
１２  照合
１３  登録
１４  条件情報
１５  計算
１６  書誌情報
１６１  検索
１７  楽譜情報送信手段
１８  課金
１９  キーファイル
２０  楽譜情報データベース
３０  クライアントサーバに関する情報データベース
４０  ユーザー個別情報
５０  クライアントサーバ
５１  ユーザー個別情報
５２  ２次利用禁止・抑制手段
６０  表示デバイス
６１  制御部
６２  メモリ
６３  表示部
６４  追記
７０  使用者
【図１】
2007133490.tif 000003